(57)【要約】      （修正有）【課題】スライドファスナーを閉じた状態で、スライダの位置を容易に認識可能な布団カバーを提供する。【解決手段】第１のカバー１１Ａと第２のカバー１１Ｂにより略矩形状且つ袋状に形成された布団カバーは、短辺１５の一方の端部から他方の端部を経由して長辺１４の中央部１６またはその近傍に至る範囲に設けられた第１のスライドファスナー３５１と、短辺１３の一方の端部から他方の端部を経由して長辺１４の中央部１６またはその近傍に至る範囲に設けられた第２のスライドファスナー３５２と、長辺１４の中央部１６またはその近傍に、第１のスライドファスナー３５１および第２のスライドファスナー３５２それぞれのスライダ３２の移動範囲の端部を規定する止め部材３３と、第１のカバー１１Ａと第２のカバー１１Ｂそれぞれの長辺１２を連結した折返し部１２と、を備える。【選択図】図２
0003190668.tif 000002
【実用新案登録請求の範囲】
【請求項１】
第１のカバーと第２のカバーにより略矩形状且つ袋状に形成された布団カバーであって、
第１の短辺の一方の端部から他方の端部を経由して一方の長辺の中央部またはその近傍に至る範囲に設けられた第１のスライドファスナーと、
第２の短辺の一方の端部から他方の端部を経由して前記一方の長辺の前記中央部またはその近傍に至る範囲に設けられた第２のスライドファスナーと、
前記一方の長辺の前記中央部またはその近傍に、前記第１のスライドファスナーおよび前記第２のスライドファスナーそれぞれのスライダの移動範囲の端部を規定する止め部材と、
前記第１のカバーと前記第２のカバーそれぞれの他方の長辺を連結した折返し部と、を備え、
前記第１のスライドファスナーのスライダが前記第１の短辺の一方の端部に位置した状態、且つ、前記第２のスライドファスナーのスライダが前記第２の短辺の一方の端部に位置した状態で、前記第１のカバーと前記第２のカバーが開閉自在となるように構成されていることを特徴とする
布団カバー。
【考案の詳細な説明】
【技術分野】
【０００１】
本考案は、布団カバーに関するものである。
【背景技術】
【０００２】
ふとんカバーが知られている（例えば、特許文献１参照）。このふとんカバーは、袋状のカバー周囲部の一辺に一つのスライドファスナーを設え、そのスライドファスナーを開閉することで、内部にふとんを収納することができる。
【０００３】
また、上下２枚の生地からなる矩形の袋状布団カバーにおいて、その一辺を接続し、他の３辺を開閉手段により開閉自在としたことを特徴とする袋状布団カバーが知られている（例えば、特許文献２参照）。
【先行技術文献】
【特許文献】
【０００４】
【特許文献１】特開２００９−２８５２２６号公報
【特許文献２】特開２００３−３８３２２号公報
【考案の概要】
【考案が解決しようとする課題】
【０００５】
しかしながら、特許文献１に記載のふとんカバーでは、カバー周囲部の一辺に設けられた一つのスライドファスナーを開状態として、ふとんを出し入れするので、操作性が良好でなかった。
【０００６】
また、特許文献２に記載の袋状布団カバーは、上下２枚の生地の短辺または長辺を接続し、他の３辺を１つのファスナーに２つのスライダを設け、上下の布が１枚の布になるように開く構造である。例えば、上下の布の短辺を接続した布団カバーの場合、開いた状態では、非常に長いスペースを要する。この場合、スライダの移動距離が比較的長い。
このため、開閉時に、スライダの移動距離の短い布団カバーが望まれている。
【０００７】
また、上記布団カバーは、一本のファスナーに２個のスライダを備えており、閉じた状態でのスライダの位置を自由に設定できる。しかしながら、スライダの位置を忘れてしまい、スライダの位置が分からなくなる場合がある。
このため、ファスナーを閉じた状態で、スライダの位置を容易に認識可能な布団カバーが望まれている。
【０００８】
本考案は、このような問題に対処することを課題の一例とするものである。すなわち、開閉時に、スライダの移動距離の短い布団カバーを提供すること、スライドファスナーを閉じた状態で、スライダの位置を容易に認識可能な布団カバーを提供すること、などを目的とする。
【課題を解決するための手段】
【０００９】
このような目的を達成するために、本考案の布団カバーは、第１のカバーと第２のカバーにより略矩形状且つ袋状に形成された布団カバーであって、第１の短辺の一方の端部から他方の端部を経由して一方の長辺の中央部またはその近傍に至る範囲に設けられた第１のスライドファスナーと、第２の短辺の一方の端部から他方の端部を経由して前記一方の長辺の前記中央部またはその近傍に至る範囲に設けられた第２のスライドファスナーと、前記一方の長辺の前記中央部またはその近傍に、前記第１のスライドファスナーおよび前記第２のスライドファスナーそれぞれのスライダの移動範囲の端部を規定する止め部材と、前記第１のカバーと前記第２のカバーそれぞれの他方の長辺を連結した折返し部と、を備え、前記第１のスライドファスナーのスライダが前記第１の短辺の一方の端部に位置した状態、且つ、前記第２のスライドファスナーのスライダが前記第２の短辺の一方の端部に位置した状態で、前記第１のカバーと前記第２のカバーが開閉自在となるように構成されていることを特徴とする。
【考案の効果】
【００１０】
本考案によれば、開閉時に、スライダの移動距離の短い布団カバーを提供することができる。
また、本考案によれば、スライドファスナーを閉じた状態で、スライダの位置を容易に認識可能な布団カバーを提供することができる。
【図面の簡単な説明】
【００１１】
【図１】本考案の実施形態に係る布団カバーのスライドファスナー閉状態の一例を示す図。
【図２】本考案の実施形態に係る布団カバーの一部開状態の一例を示す図。
【図３】本考案の実施形態に係る布団カバーのスライドファスナー開状態の一例を示す図。
【図４】布団カバーの結合紐の一例を示す図。
【考案を実施するための形態】
【００１２】
以下、図面を参照しながら本考案の実施形態を説明する。
本考案の実施形態は図示の内容を含むが、これのみに限定されるものではない。なお、以後の各図の説明で、既に説明した部位と共通する部分は同一符号を付して重複説明を一部省略する。
【００１３】
図１は本考案の実施形態に係る布団カバー１のスライドファスナー閉状態の一例を示す図である。図２は布団カバーの一部開状態の一例を示す図である。図３は布団カバー１のスライドファスナー開状態の一例を示す図である。図４は布団カバーの結合紐１８の一例を示す図である。
【００１４】
本考案の実施形態に係る布団カバーは、上側カバーとしての第１のカバー１１Ａと、下側カバーとしての第２のカバー１１Ｂとを有し、略矩形状且つ袋状に形成されている。第１のカバー１１Ａ，第２のカバー１１Ｂとしては、綿などの所定の材料により形成された布を採用することができる。
【００１５】
矩形状の布団カバー１は、短辺１３，１５、長辺１２，１４により構成されている。
袋状の布団カバー１は、長辺１２が連結されており、短辺１５，長辺１４，短辺１３にスライドファスナー３５が設けられている。詳細には、本実施形態では、布団カバーは、第１のスライドファスナー３５１，第２のスライドファスナー３５２を有する。
【００１６】
詳細には、布団カバー１は、短辺１５（第１の短辺）の一方の端部から他方の端部を経由して長辺１４（一方の長辺）の中央部１６またはその近傍に至る範囲に設けられた第１のスライドファスナー３５１と、短辺１３（第２の短辺）の一方の端部から他方の端部を経由して長辺１４（一方の長辺）の中央部１６またはその近傍に至る範囲に設けられた第２のスライドファスナー３５２と、を有する。
【００１７】
第１のスライドファスナー３５１はスライダ３１を有し、スライダ３１の本体部３１ａに引き手部３１ｂを備える。第２のスライドファスナー３５２はスライダ３２を有し、スライダ３２の本体部３２ａに引き手部３２ｂを備える。
【００１８】
また、布団カバー１は、長辺１４の中央部１６またはその近傍に、第１のスライドファスナー３５１および第２のスライドファスナー３５２それぞれのスライダ３１，３２の移動範囲の端部を規定する止め部材３３（３３ａ，３３ｂ）を有する。
こうすることで、閉じた状態でスライダ３１，３２が止め部材３３（３３ａ，３３ｂ）に隣接して位置するので、スライダ３１，３２の位置を容易に認識することができる。
【００１９】
つまり、第１のスライドファスナー３５１，第２のスライドファスナー３５２は、長辺１４の中央またはその近傍を始点（または終点）とし、反対側の長辺１２の両端がそれぞれ終点（または始点）となるように設けられている。
【００２０】
また、布団カバー１は、第１のカバー１１Ａと第２のカバー１１Ｂそれぞれの長辺１２（他方の長辺）を連結した折返し部１２１を有する。
【００２１】
布団カバー１は、第１のスライドファスナー３５１のスライダ３１が短辺１５の一方の端部に位置した状態、且つ、第２のスライドファスナー３５２のスライダが短辺１３の一方の端部に位置した状態で、第１のカバー１１Ａと第２のカバー１１Ｂが開閉自在となるように構成されている。
【００２２】
第１のスライドファスナー３５１，第２のスライドファスナー３５２を開状態とした場合、図３に示したように、第１のカバー１１Ａおよび第２のカバー１１Ｂが一枚のカバー（布）となるように構成されている。この状態で、布団カバー１に布団２０を容易に着脱することができる。
【００２３】
布団カバーの動作の一例を説明する。
例えば、第１のスライドファスナー３５１，第２のスライドファスナー３５２が閉状態から、スライダ３１，３２を移動させて、第１のスライドファスナー３５１，第２のスライドファスナー３５２を開状態とし、布団２０を布団カバー１から取り外す。
例えば、新たな布団カバーを用意し、第２のカバー１１Ｂ上に布団２０を配置し、第１のカバー１１Ａで覆い、スライダ３１，３２を移動させて、第１のスライドファスナー３５１，第２のスライドファスナー３５２を閉状態とする。
こうすることで、布団カバーの取り換えを一人でも容易に行うことができる。
【００２４】
また、図３に示したように、本実施形態の布団カバー１は、内部に収容される布団２０と連結するための結合紐１８を有する。
本実施形態では、布団２０は、四隅や長辺の中央部付近に係止紐２１が設けられている。布団カバー１の結合紐１８は、例えば、布団２０の係止紐２１に対応する位置に、詳細には、布団カバー１の四隅の内側や、長辺の中央部付近の内側に、設けられている。
図４に示すように、結合紐１８を結ぶことで、布団と布団カバーの所定位置に容易に固定することができる。
【００２５】
以上、説明したように、本考案の実施形態に係る布団カバー１は、第１のカバー１１Ａ（上側カバー）と第２のカバー１１Ｂ（下側カバー）により略矩形状且つ袋状に形成されている。この布団カバー１は、短辺１５の一方の端部から他方の端部を経由して一方の長辺１４の中央部またはその近傍に至る範囲に設けられた第１のスライドファスナー３５１と、短辺１３の一方の端部から他方の端部を経由して前記一方の長辺１４の前記中央部またはその近傍に至る範囲に設けられた第２のスライドファスナー３５２と、前記一方の長辺１４の前記中央部またはその近傍に、前記第１のスライドファスナー３５１および前記第２のスライドファスナー３５２それぞれのスライダ３１，３２の移動範囲の端部を規定する止め部材３３と、第１のカバー１１Ａと第２のカバー１１Ｂそれぞれの長辺１２（他方の長辺）を連結した折返し部１２１と、を備える。
また、第１のスライドファスナー３５１のスライダ３１が短辺１５の一方の端部に位置した状態、且つ、第２のスライドファスナー３５２のスライダが短辺１３の一方の端部に位置した状態で、第１のカバー１１Ａと前記第２のカバー１１Ｂが開閉自在となる。
このように、止め部材３３により、第１のスライドファスナー３５１および第２のスライドファスナー３５２それぞれのスライダ３１，３２の移動範囲の端部が規定されているので、第１のスライドファスナー３５１および第２のスライドファスナー３５２を閉じた状態で、スライダ３１，３２の位置を容易に認識可能な布団カバー１を提供することができる。
【００２６】
また、上述したように、第１のカバー１１Ａと第２のカバー１１Ｂの四辺のうち、長辺１２に折返し部１２１を備え、それ以外の部分に、第１のスライドファスナー３５１、第２のスライドファスナー３５２を備えるので、開閉時のスライダ３１，３２の移動距離が比較的短い。
【００２７】
布団カバー１を洗濯して、物干しなどに掛けて乾燥させる場合、第１のスライドファスナー３５１、第２のスライドファスナー３５２を開状態とし、第１のカバー１１Ａと第２のカバー１１Ｂの長辺１２の折返し部１２１を物干しなどに掛けることで、垂直方向の長さが比較的に短くなる。この場合、布団カバー１の乾燥時間を比較的短くすることができる。
【００２８】
また、例えば、女性、お年寄り、体の不自由な方などであっても、布団カバー１を容易に取り換えることができる。
【００２９】
以上、本考案の実施形態について図面を参照して詳述してきたが、具体的な構成はこれらの実施形態に限られるものではなく、本考案の要旨を逸脱しない範囲の設計の変更等があっても本考案に含まれる。
また、上述の各図で示した実施形態は、その目的及び構成等に特に矛盾や問題がない限り、互いの記載内容を組み合わせることが可能である。
また、各図の記載内容はそれぞれ独立した実施形態になり得るものであり、本考案の実施形態は各図を組み合わせた一つの実施形態に限定されるものではない。
【符号の説明】
【００３０】
１…布団カバー
１１Ａ…第１のカバー（上側カバー）
１１Ｂ…第２のカバー（下側カバー）
１２…長辺（連結された辺）
１３…短辺（第２の短辺）
１４…長辺（一方の長辺）
１５…短辺（第１の短辺）
１８…結合紐
２１…係止紐
３１…スライダ
３２…スライダ
３３…止め部材
３５…スライドファスナー
１２１…折返し部
３５１…第１のスライドファスナー
３５２…第２のスライドファスナー
【図１】
0003190668.tif 000003
【図２】
0003190668.tif 000004
【図３】
0003190668.tif 000005
【図４】
0003190668.tif 000006